(57)【特許請求の範囲】
【請求項１】
ユーザ機器によって行われる、アップリンク基準信号を送信する方法であって、前記方法は、
プライマリ同期化信号とセカンダリ同期化信号とを含む同期化信号を受信することと、
前記同期化信号によって決定される物理的セルＩＤ（ｉｄｅｎｔｉｔｙ）に基づいて生成されたアップリンク基準信号を送信することと
を含み、
仮想セルＩＤに対する値が上位階層信号によって構成されるときに、前記物理的セルＩＤは、前記仮想セルＩＤに代替され、前記仮想セルＩＤに基づいたアップリンク基準信号が送信され、
前記仮想セルＩＤに基づいた前記アップリンク基準信号は、ＰＵＳＣＨ（ｐｈｙｓｉｃａｌ  ｕｐｌｉｎｋ  ｓｈａｒｅｄ  ｃｈａｎｎｅｌ）に関連付けられる復調基準信号であり、
前記仮想セルＩＤに基づいた前記アップリンク基準信号が、時間領域において複数のスロットを含むフレームの少なくとも２つのスロットで送信されるときに、
前記少なくとも２つのスロットの各スロットにおいて一つのシーケンスグループが選択され、前記仮想セルＩＤに基づいた前記アップリンク基準信号は、前記選択されたシーケンスグループから選択された一つの基本シーケンスを循環シフトさせることによって生成され、前記少なくとも２つのスロットの各スロットにおいて選択された前記一つの基本シーケンスは、前記仮想セルＩＤに基づいて決定される、方法。
【請求項２】
前記仮想セルＩＤは、ＲＲＣ（ｒａｄｉｏ  ｒｅｓｏｕｒｃｅ  ｃｏｎｔｒｏｌ）メッセージを介して受信される、請求項１に記載の方法。
【請求項３】
前記仮想セルＩＤに基づいた前記アップリンク基準信号は、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの４番目及び１１番目のＳＣ−ＦＤＭＡシンボルで送信される、請求項１に記載の方法。
【請求項４】
前記仮想セルＩＤに基づいた前記アップリンク基準信号は、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの３番目及び９番目のＳＣ−ＦＤＭＡシンボルで送信される、請求項１に記載の方法。
【請求項５】
基地局によって行われる、アップリンク基準信号を受信する方法であって、前記方法は、
プライマリ同期化信号とセカンダリ同期化信号とを含む同期化信号を送信することと、
前記同期化信号によって決定される物理的セルＩＤ（ｉｄｅｎｔｉｔｙ）に基づいて生成されたアップリンク基準信号を受信することと
を含み、
仮想セルＩＤに対する値が上位階層信号によって構成されるときに、前記物理的セルＩＤは、前記仮想セルＩＤに代替され、前記仮想セルＩＤに基づいたアップリンク基準信号が受信され、
前記仮想セルＩＤに基づいた前記アップリンク基準信号は、ＰＵＳＣＨ（ｐｈｙｓｉｃａｌ  ｕｐｌｉｎｋ  ｓｈａｒｅｄ  ｃｈａｎｎｅｌ）に関連付けられる復調基準信号であり、
前記仮想セルＩＤに基づいた前記アップリンク基準信号が、時間領域において複数のスロットを含むフレームの少なくとも２つのスロットで受信されるときに、
前記少なくとも２つのスロットの各スロットにおいて一つのシーケンスグループが選択され、前記仮想セルＩＤに基づいた前記アップリンク基準信号は、前記選択されたシーケンスグループから選択された一つの基本シーケンスを循環シフトさせることによって生成され、前記少なくとも２つのスロットの各スロットにおいて選択された前記一つの基本シーケンスは、前記仮想セルＩＤに基づいて決定される、方法。
【請求項６】
前記仮想セルＩＤは、ＲＲＣ（ｒａｄｉｏ  ｒｅｓｏｕｒｃｅ  ｃｏｎｔｒｏｌ）メッセージを介して送信される、請求項５に記載の方法。
【請求項７】
前記仮想セルＩＤに基づいた前記アップリンク基準信号は、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの４番目及び１１番目のＳＣ−ＦＤＭＡシンボルで受信される、請求項５に記載の方法。
【請求項８】
前記仮想セルＩＤに基づいた前記アップリンク基準信号は、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの３番目及び９番目のＳＣ−ＦＤＭＡシンボルで受信される、請求項５に記載の方法。
【請求項９】
アップリンク基準信号を送信するユーザ機器（ＵＥ）であって、前記ＵＥは、
無線信号を送信及び受信するＲＦ（ｒａｄｉｏ  ｆｒｅｑｅｕｎｃｙ）部と、
前記ＲＦ部と連結されたプロセッサと
を含み、
前記プロセッサは、
プライマリ同期化信号とセカンダリ同期化信号とを含む同期化信号を受信することと、
前記同期化信号によって決定される物理的セルＩＤ（ｉｄｅｎｔｉｔｙ）に基づいて生成されたアップリンク基準信号を送信することと
を行うために構成されており、
仮想セルＩＤに対する値が上位階層信号によって構成されるときに、前記物理的セルＩＤは、前記仮想セルＩＤに代替され、前記仮想セルＩＤに基づいたアップリンク基準信号が送信され、
前記仮想セルＩＤに基づいた前記アップリンク基準信号は、ＰＵＳＣＨ（ｐｈｙｓｉｃａｌ  ｕｐｌｉｎｋ  ｓｈａｒｅｄ  ｃｈａｎｎｅｌ）に関連付けられる復調基準信号であり、
前記仮想セルＩＤに基づいた前記アップリンク基準信号が、時間領域において複数のスロットを含むフレームの少なくとも２つのスロットで送信されるときに、
前記少なくとも２つのスロットの各スロットにおいて一つのシーケンスグループが選択され、前記仮想セルＩＤに基づいた前記アップリンク基準信号は、前記選択されたシーケンスグループから選択された一つの基本シーケンスを循環シフトさせることによって生成され、前記少なくとも２つのスロットの各スロットにおいて選択された前記一つの基本シーケンスは、前記仮想セルＩＤに基づいて決定される、ＵＥ。
【請求項１０】
前記仮想セルＩＤは、ＲＲＣ（ｒａｄｉｏ  ｒｅｓｏｕｒｃｅ  ｃｏｎｔｒｏｌ）メッセージを介して受信される、請求項９に記載のＵＥ。
【請求項１１】
前記仮想セルＩＤに基づいた前記アップリンク基準信号は、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの４番目及び１１番目のＳＣ−ＦＤＭＡシンボルで送信される、請求項９に記載のＵＥ。
【請求項１２】
前記仮想セルＩＤに基づいた前記アップリンク基準信号は、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの３番目及び９番目のＳＣ−ＦＤＭＡシンボルで送信される、請求項９に記載のＵＥ。
【請求項１３】
アップリンク基準信号を受信する基地局（ＢＳ）であって、前記ＢＳは、
無線信号を送信及び受信するＲＦ（ｒａｄｉｏ  ｆｒｅｑｅｕｎｃｙ）部と、
前記ＲＦ部と連結されたプロセッサと
を含み、
前記プロセッサは、
プライマリ同期化信号とセカンダリ同期化信号とを含む同期化信号を送信することと、
前記同期化信号によって決定される物理的セルＩＤ（ｉｄｅｎｔｉｔｙ）に基づいて生成されたアップリンク基準信号を受信することと
を行うために構成されており、
仮想セルＩＤに対する値が上位階層信号によって構成されるときに、前記物理的セルＩＤは、前記仮想セルＩＤに代替され、前記仮想セルＩＤに基づいたアップリンク基準信号が受信され、
前記仮想セルＩＤに基づいた前記アップリンク基準信号は、ＰＵＳＣＨ（ｐｈｙｓｉｃａｌ  ｕｐｌｉｎｋ  ｓｈａｒｅｄ  ｃｈａｎｎｅｌ）に関連付けられる復調基準信号であり、
前記仮想セルＩＤに基づいた前記アップリンク基準信号が、時間領域において複数のスロットを含むフレームの少なくとも２つのスロットで受信されるときに、
前記少なくとも２つのスロットの各スロットにおいて一つのシーケンスグループが選択され、前記仮想セルＩＤに基づいた前記アップリンク基準信号は、前記選択されたシーケンスグループから選択された一つの基本シーケンスを循環シフトさせることによって生成され、前記少なくとも２つのスロットの各スロットにおいて選択された前記一つの基本シーケンスは、前記仮想セルＩＤに基づいて決定される、ＢＳ。
【請求項１４】
前記仮想セルＩＤは、ＲＲＣ（ｒａｄｉｏ  ｒｅｓｏｕｒｃｅ  ｃｏｎｔｒｏｌ）メッセージを介して送信される、請求項１３に記載のＢＳ。
【請求項１５】
前記仮想セルＩＤに基づいた前記アップリンク基準信号は、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの４番目及び１１番目のＳＣ−ＦＤＭＡシンボルで受信される、請求項１３に記載のＢＳ。
【請求項１６】
前記仮想セルＩＤに基づいた前記アップリンク基準信号は、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの３番目及び９番目のＳＣ−ＦＤＭＡシンボルで受信される、請求項１３に記載のＢＳ。
【発明の詳細な説明】
【技術分野】
【０００１】
本発明は、無線通信に関し、より詳しくは、多重ノードシステムにおける干渉を減らすことができるアップリンク基準信号送信方法及びその方法を利用する端末に関する。
【背景技術】
【０００２】
最近、無線通信ネットワークのデータ送信量が急速に増加している。その理由は、Ｍ２Ｍ（Ｍａｃｈｉｎｅ−ｔｏ−Ｍａｃｈｉｎｅ）通信及び高いデータ送信量を要求するスマートフォン、タブレットＰＣなど、多様なデバイスの出現及び普及のためである。要求される高いデータ送信量を満たすために、より多くの周波数帯域を効率的に使用する搬送波集約（ｃａｒｒｉｅｒ  ａｇｇｒｅｇａｔｉｏｎ）技術、コグニティブ無線（ｃｏｇｎｉｔｉｖｅ  ｒａｄｉｏ）技術などと限定された周波数内でデータ容量を高めるために、多重アンテナ技術、多重基地局協力技術などが最近浮かび上がっている。
【０００３】
また、無線通信ネットワークは、ユーザ周辺にアクセスすることができるノード（ｎｏｄｅ）の密度が高まる方向に進化している。ここで、ノードとは、分散アンテナシステム（ｄｉｓｔｒｉｂｕｔｅｄ  ａｎｔｅｎｎａ  ｓｙｓｔｅｍ、ＤＡＳ）から一定間隔以上離れたアンテナ又はアンテナグループを意味するが、このような意味に限定されるものではなく、さらに広い意味で使われることもできる。即ち、ノードは、ピコセル基地局（ＰｅＮＢ）、ホーム基地局（ＨｅＮＢ）、ＲＲＨ（ｒｅｍｏｔｅ  ｒａｄｉｏ  ｈｅａｄ）、ＲＲＵ（ｒｅｍｏｔｅ  ｒａｄｉｏ  ｕｎｉｔ）、中継器などがなることもできる。このような高い密度のノードを備えた無線通信システムは、ノード間の協力により高いシステム性能を示すことができる。即ち、各ノードが独立的な基地局（Ｂａｓｅ  Ｓｔａｔｉｏｎ（ＢＳ）、Ａｄｖａｎｃｅｄ  ＢＳ（ＡＢＳ）、Ｎｏｄｅ−Ｂ（ＮＢ）、ｅＮｏｄｅ−Ｂ（ｅＮＢ）、Ａｃｃｅｓｓ  Ｐｏｉｎｔ（ＡＰ）等）として動作して互いに協力しない時より、各ノードが一つの制御局により送受信の管理を受けて一つのセルに対するアンテナ又はアンテナグループのように動作する場合、さらに優れたシステム性能を出すことができる。以下、複数のノードを含む無線通信システムを多重ノードシステムという。
【０００４】
多重ノードシステムにおいて、複数のノードが一つの物理的セルＩＤ（ｐｈｙｓｉｃａｌ  ｃｅｌｌ  ｉｄｅｎｔｉｆｉｅｒ）を使用することができる。それによって、ハンドオーバ（ｈａｎｄｏｖｅｒ）回数が減ってノード間の協力通信が容易になるなどの長所がある。
【０００５】
従来技術によると、端末は、基地局又はノードが使用する物理的セルＩＤに基づいて多様なアップリンク信号を生成する。しかし、セル内の端末の個数が多くなると、アップリンク信号間に干渉が増加する。特に、アップリンク基準信号間の干渉が問題になるおそれがある。
【発明の概要】
【発明が解決しようとする課題】
【０００６】
本発明の技術的課題は、多重ノードシステムにおいて、アップリンク基準信号送信方法及びその方法を利用する端末を提供することである。
【課題を解決するための手段】
【０００７】
一側面において、多重ノードシステムにおける端末のアップリンク基準信号送信方法を提供する。前記方法は、ノードから同期化信号を受信するステップ；前記ノードから仮想セルＩＤ（ｉｄｅｎｔｉｆｉｅｒ）に対するパラメータを受信するステップ；前記仮想セルＩＤに対するパラメータを利用してアップリンク復調基準信号（ｄｅｍｏｄｕｌａｔｉｏｎ  ｒｅｆｅｒｅｎｃｅ  ｓｉｇｎａｌ：ＤＭ−ＲＳ）を生成するステップ；及び、前記生成されたアップリンクＤＭ−ＲＳを前記ノードに送信するステップ；を含み、物理的セルＩＤは、前記同期化信号から受信されるセルＩＤであり、前記仮想セルＩＤに対するパラメータは、前記物理的セルＩＤを代えて前記アップリンクＤＭ−ＲＳを生成するために使われるパラメータであることを特徴とする。
【０００８】
前記仮想セルＩＤに対するパラメータは、端末毎に異なるように与えられる端末特定的パラメータである。
【０００９】
前記アップリンクＤＭ−ＲＳは、複数のシーケンスグループのうち一つのシーケンスグループから選択された基本シーケンスを循環シフトさせて生成され、前記複数のシーケンスグループの各々は、少なくとも一つの基本シーケンスを含む。
【００１０】
前記循環シフトは、前記仮想セルＩＤに対するパラメータに基づいて決定される。
【００１１】
前記アップリンクＤＭ−ＲＳは、時間領域で複数のスロットを含むフレームで少なくとも２個のスロットで送信され、前記少なくとも２個のスロットから各スロット毎に一つのシーケンスグループが選択され、前記選択された一つのシーケンスグループ内から選択された一つの基本シーケンスを循環シフトさせて生成される。
【００１２】
前記各スロット毎に選択される一つのシーケンスグループは、前記仮想セルＩＤに対するパラメータに基づいて決定される。
【００１３】
前記各スロット毎に決定された一つのシーケンスグループ内から選択される基本シーケンスは、前記仮想セルＩＤに対するパラメータに基づいて決定される。
【００１４】
前記仮想セルＩＤに対するパラメータは、０〜５１３の整数値のうちいずれか一つを有する仮想セルＩＤを含み、前記仮想セルＩＤは、前記物理的セルＩＤを代えて前記アップリンクＤＭ−ＲＳを生成するために使われる。
【００１５】
前記物理的セルＩＤは、前記ＤＭ−ＲＳを除いた残りのアップリンク信号生成に使われる。
【００１６】
前記仮想セルＩＤに対するパラメータは、ＲＲＣ（ｒａｄｉｏ  ｒｅｓｏｕｒｃｅ  ｃｏｎｔｒｏｌ）メッセージを介して送信される。
【００１７】
前記方法は、前記ノードからアップリンクスケジューリング情報を受信するステップをさらに含み、前記仮想セルＩＤに対するパラメータは、前記アップリンクスケジューリング情報に含まれるパラメータに基づいて生成される。
【００１８】
前記アップリンクスケジューリング情報は、前記端末がアップリンクデータチャネルを送信する周波数帯域を指示する情報を含み、前記周波数帯域は、前記端末と同時にアップリンクデータチャネル及びＤＭ−ＲＳを送信する他の端末の周波数帯域と重なる帯域を含む。
【００１９】
前記ＤＭ−ＲＳは、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームで４番目及び１１番目のＳＣ−ＦＤＭＡシンボルで送信される。
【００２０】
前記ＤＭ−ＲＳは、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームで３番目及び９番目のＳＣ−ＦＤＭＡシンボルで送信される。
【００２１】
他の側面で提供される多重ノードシステムにおけるアップリンク復調基準信号を送信する端末は、無線信号を送信及び受信するＲＦ（ｒａｄｉｏ  ｆｒｅｑｅｕｎｃｙ）部；及び、前記ＲＦ部と連結されるプロセッサ；を含み、前記プロセッサは、ノードから同期化信号を受信し、前記ノードから仮想セルＩＤ（ｉｄｅｎｔｉｆｉｅｒ）に対するパラメータを受信し、前記仮想セルＩＤに対するパラメータを利用してアップリンク復調基準信号（ｄｅｍｏｄｕｌａｔｉｏｎ  ｒｅｆｅｒｅｎｃｅ  ｓｉｇｎａｌ：ＤＭ−ＲＳ）を生成し、前記生成されたアップリンクＤＭ−ＲＳを前記ノードに送信し、物理的セルＩＤは、前記同期化信号から受信されるセルＩＤであり、前記仮想セルＩＤに対するパラメータは、前記物理的セルＩＤを代えて前記アップリンクＤＭ−ＲＳを生成するために使われるパラメータであることを特徴とする。
本明細書は、例えば、以下の項目も提供する。
（項目１）
ユーザ機器によって行われる、アップリンク基準信号を送信する方法であって、前記方法は、
プライマリ同期化信号とセカンダリ同期化信号とを含む同期化信号を受信することと、
前記同期化信号によって決定される物理的セルＩＤ（ｉｄｅｎｔｉｔｙ）に基づいて生成されたアップリンク基準信号を送信することと
を含み、
仮想セルＩＤに対する値が上位階層信号によって構成されるときに、前記物理的セルＩＤは、前記仮想セルＩＤに代替され、前記仮想セルＩＤに基づいて生成されたアップリンク基準信号が送信される、方法。
（項目２）
前記仮想セルＩＤに基づいて生成された前記アップリンク基準信号は、アップリンクデータ及びアップリンク制御情報のうちの少なくとも一つが送信されるＰＵＳＣＨ（ｐｈｙｓｉｃａｌ  ｕｐｌｉｎｋ  ｓｈａｒｅｄ  ｃｈａｎｎｅｌ）に関連付けられる復調基準信号である、項目１に記載の方法。
（項目３）
前記仮想セルＩＤに基づいて生成された前記アップリンク基準信号は、複数のシーケンスグループのうち一つのシーケンスグループから選択された基本シーケンスを循環シフトさせることによって生成され、前記複数のシーケンスグループの各々は、少なくとも一つの基本シーケンスを含む、項目１に記載の方法。
（項目４）
前記循環シフトの量は、前記仮想セルＩＤによって決定される、項目３に記載の方法。
（項目５）
前記仮想セルＩＤに基づいて生成された前記アップリンク基準信号は、時間領域において複数のスロットを含むフレームの少なくとも２つのスロットで送信され、前記少なくとも２つのスロットの各スロットにおいて一つのシーケンスグループが選択され、前記仮想セルＩＤに基づいて生成された前記アップリンク基準信号は、前記選択されたシーケンスグループから選択された一つの基本シーケンスを循環シフトさせることによって生成される、項目３に記載の方法。
（項目６）
前記少なくとも２つのスロットの各スロットにおいて選択された前記一つの基本シーケンスは、前記仮想セルＩＤに基づいて決定される、項目５に記載の方法。
（項目７）
前記仮想セルＩＤは、ＲＲＣ（ｒａｄｉｏ  ｒｅｓｏｕｒｃｅ  ｃｏｎｔｒｏｌ）メッセージを介して受信される、項目１に記載の方法。
（項目８）
前記仮想セルＩＤに基づいて生成された前記アップリンク基準信号は、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの４番目及び１１番目のＳＣ−ＦＤＭＡシンボルで送信される、項目１に記載の方法。
（項目９）
前記仮想セルＩＤに基づいて生成された前記アップリンク基準信号は、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの３番目及び９番目のＳＣ−ＦＤＭＡシンボルで送信される、項目１に記載の方法。
（項目１０）
基地局によって行われる、アップリンク基準信号を受信する方法であって、前記方法は、
プライマリ同期化信号とセカンダリ同期化信号とを含む同期化信号を送信することと、
前記同期化信号によって決定される物理的セルＩＤ（ｉｄｅｎｔｉｔｙ）に基づいて生成されたアップリンク基準信号を受信することと
を含み、
仮想セルＩＤに対する値が上位階層信号によって構成されるときに、前記物理的セルＩＤは、前記仮想セルＩＤに代替され、前記仮想セルＩＤに基づいて生成されたアップリンク基準信号が受信される、方法。
（項目１１）
前記仮想セルＩＤに基づいて生成された前記アップリンク基準信号は、アップリンクデータ及びアップリンク制御情報のうちの少なくとも一つが受信されるＰＵＳＣＨ（ｐｈｙｓｉｃａｌ  ｕｐｌｉｎｋ  ｓｈａｒｅｄ  ｃｈａｎｎｅｌ）に関連付けられる復調基準信号である、項目１０に記載の方法。
（項目１２）
前記仮想セルＩＤは、ＲＲＣ（ｒａｄｉｏ  ｒｅｓｏｕｒｃｅ  ｃｏｎｔｒｏｌ）メッセージを介して送信される、項目１０に記載の方法。
（項目１３）
前記仮想セルＩＤに基づいて生成された前記アップリンク基準信号は、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの４番目及び１１番目のＳＣ−ＦＤＭＡシンボルで受信される、項目１０に記載の方法。
（項目１４）
前記仮想セルＩＤに基づいて生成された前記アップリンク基準信号は、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの３番目及び９番目のＳＣ−ＦＤＭＡシンボルで受信される、項目１０に記載の方法。
（項目１５）
アップリンク基準信号を送信するユーザ機器（ＵＥ）であって、前記ＵＥは、
無線信号を送信及び受信するＲＦ（ｒａｄｉｏ  ｆｒｅｑｅｕｎｃｙ）部と、
前記ＲＦ部と連結されたプロセッサと
を含み、
前記プロセッサは、
プライマリ同期化信号とセカンダリ同期化信号とを含む同期化信号を受信することと、
前記同期化信号によって決定される物理的セルＩＤ（ｉｄｅｎｔｉｔｙ）に基づいて生成されたアップリンク基準信号を送信することと
を行うために構成されており、
仮想セルＩＤに対する値が上位階層信号によって構成されるときに、前記物理的セルＩＤは、前記仮想セルＩＤに代替され、前記仮想セルＩＤに基づいて生成されたアップリンク基準信号が送信される、ＵＥ。
（項目１６）
前記仮想セルＩＤに基づいて生成された前記アップリンク基準信号は、アップリンクデータ及びアップリンク制御情報のうちの少なくとも一つが送信されるＰＵＳＣＨ（ｐｈｙｓｉｃａｌ  ｕｐｌｉｎｋ  ｓｈａｒｅｄ  ｃｈａｎｎｅｌ）に関連付けられる復調基準信号である、項目１５に記載のＵＥ。
（項目１７）
前記仮想セルＩＤは、ＲＲＣ（ｒａｄｉｏ  ｒｅｓｏｕｒｃｅ  ｃｏｎｔｒｏｌ）メッセージを介して受信される、項目１５に記載のＵＥ。
（項目１８）
前記仮想セルＩＤに基づいて生成された前記アップリンク基準信号は、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの４番目及び１１番目のＳＣ−ＦＤＭＡシンボルで送信される、項目１５に記載のＵＥ。
（項目１９）
前記仮想セルＩＤに基づいて生成された前記アップリンク基準信号は、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの３番目及び９番目のＳＣ−ＦＤＭＡシンボルで送信される、項目１５に記載のＵＥ。
（項目２０）
アップリンク基準信号を受信する基地局（ＢＳ）であって、前記ＢＳは、
無線信号を送信及び受信するＲＦ（ｒａｄｉｏ  ｆｒｅｑｅｕｎｃｙ）部と、
前記ＲＦ部と連結されたプロセッサと
を含み、
前記プロセッサは、
プライマリ同期化信号とセカンダリ同期化信号とを含む同期化信号を送信することと、
前記同期化信号によって決定される物理的セルＩＤ（ｉｄｅｎｔｉｔｙ）に基づいて生成されたアップリンク基準信号を受信することと
を行うために構成されており、
仮想セルＩＤに対する値が上位階層信号によって構成されるときに、前記物理的セルＩＤは、前記仮想セルＩＤに代替され、前記仮想セルＩＤに基づいて生成されたアップリンク基準信号が受信される、ＢＳ。
（項目２１）
前記仮想セルＩＤに基づいて生成された前記アップリンク基準信号は、アップリンクデータ及びアップリンク制御情報のうちの少なくとも一つが受信されるＰＵＳＣＨ（ｐｈｙｓｉｃａｌ  ｕｐｌｉｎｋ  ｓｈａｒｅｄ  ｃｈａｎｎｅｌ）に関連付けられる復調基準信号である、項目２０に記載のＢＳ。
（項目２２）
前記仮想セルＩＤは、ＲＲＣ（ｒａｄｉｏ  ｒｅｓｏｕｒｃｅ  ｃｏｎｔｒｏｌ）メッセージを介して送信される、項目２０に記載のＢＳ。
（項目２３）
前記仮想セルＩＤに基づいて生成された前記アップリンク基準信号は、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの４番目及び１１番目のＳＣ−ＦＤＭＡシンボルで受信される、項目２０に記載のＢＳ。
（項目２４）
前記仮想セルＩＤに基づいて生成された前記アップリンク基準信号は、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームの３番目及び９番目のＳＣ−ＦＤＭＡシンボルで受信される、項目２０に記載のＢＳ。
【発明の効果】
【００２２】
端末は、物理的セルＩＤと追加的に端末別に提供される仮想セルＩＤを利用してアップリンク信号を生成することができる。特に、アップリンク基準信号を仮想セルＩＤに基づいて生成することができる。本発明によると、複数の端末が同一の物理的セルＩＤを使用してアップリンク基準信号を生成する時より干渉を減らすことができる。
【図面の簡単な説明】
【００２３】
【図１】多重ノードシステムの例を示す。
【図２】同一の物理的セルＩＤを使用する多重ノードシステムを示す。
【図３】３ＧＰＰ  ＬＴＥにおける無線フレームの構造を示す。
【図４】一つのスロットに対するリソースグリッド（ｒｅｓｏｕｒｃｅ  ｇｒｉｄ）を示す例示図である。
【図５】ダウンリンクサブフレームの構造を示す。
【図６】ＦＤＤ（Ｆｒｅｑｕｅｎｃｙ  Ｄｉｖｉｓｉｏｎ  Ｄｕｐｌｅｘ）システムにおける無線フレーム内で同期化信号（ｓｙｎｃｈｒｏｎｉｚａｔｉｏｎ  ｓｉｇｎａｌ）及びＰＢＣＨを送信するＯＦＤＭシンボルを示す。
【図７】アップリンクサブフレームの構造を示す。
【図８】基準信号が送信されるサブフレームの構造の一例である。
【図９】本発明の一実施例に係るＤＭ−ＲＳ送信方法を示す。
【図１０】本発明の実施例に係る基地局及び端末の構成を示す。
【発明を実施するための形態】
【００２４】
以下の技術はＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、ＬＴＥの進化である。
【００２５】
図１は、多重ノードシステムの例を示す。
【００２６】
図１を参照すると、多重ノードシステムは、基地局及び複数のノードを含む。
【００２７】
基地局は、一般的に端末と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。基地局は、複数のノードと連結されて各ノードを制御することができる。
【００２８】
ノードは、マクロ基地局、ピコセル基地局（ＰｅＮＢ）、ホーム基地局（ＨｅＮＢ）、ＲＲＨ（ｒｅｍｏｔｅ  ｒａｄｉｏ  ｈｅａｄ）、中継器、分散されたアンテナなどを意味する。このようなノードは、ポイント（ｐｏｉｎｔ）とも呼ばれる。
【００２９】
多重ノードシステムにおいて、全てのノードが一つの基地局コントローラにより送受信の管理を受けることによって個別ノードが一つのセルの一部のように動作すると、システムは、一つのセルを形成する分散アンテナシステム（ｄｉｓｔｒｉｂｕｔｅｄ  ａｎｔｅｎｎａ  ｓｙｓｔｅｍ、ＤＡＳ）システムとみることができる。分散アンテナシステムにおける個別ノードは、別途のノードＩＤが付与されることもでき、別途のノードＩＤなしにセル内の一部アンテナ集団のように動作することもできる。即ち、分散アンテナシステム（ｄｉｓｔｒｉｂｕｔｅｄ  ａｎｔｅｎｎａ  ｓｙｓｔｅｍ、ＤＡＳ）は、アンテナ（即ち、ノード）がセル（ｃｅｌｌ）内の多様な位置に分散されて配置され、このようなアンテナを基地局が管理するシステムを意味する。分散アンテナシステムは、基地局のアンテナがセル中央に集中して配置される従来の集中アンテナシステム（Ｃｅｎｔｒａｌｉｚｅｄ  ａｎｔｅｎｎａ  ｓｙｓｔｅｍ、ＣＡＳ）と異なる。
【００３０】
多重ノードシステムにおいて、個別ノードが個別的なセルＩＤを有し、スケジューリング及びハンドオーバを実行する場合、これは多重セル（例えば、マクロセル／フェムトセル／ピコセル）システムとみることができる。このような多重セルがカバレッジによって重なる形態で構成される場合、これを多重階層ネットワーク（ｍｕｌｔｉ−ｔｉｅｒ  ｎｅｔｗｏｒｋ）という。
【００３１】
図２は、同一の物理的セルＩＤを使用する多重ノードシステムを示す。
【００３２】
図２を参照すると、ノード１はマクロ基地局であり、ノード２〜５はＲＲＨである。ノード１〜５は、同一の物理的セルＩＤを使用することができる。
【００３３】
端末は、その位置によって互いに異なるノードにアップリンク信号を送信することができる。例えば、端末１は、ノード２にアップリンク信号を送信し、端末２は、ノード３にアップリンク信号を送信することができる。このように互いに異なる端末が同一の無線リソースを使用してアップリンク信号を送信する場合、相互間に干渉を発生させる。このような相互間の干渉を緩和させるために、各端末は、アップリンクプリコーディング（ｐｒｅｃｏｄｉｎｇ）を適用し、各ノードは、受信信号処理技法を介して干渉を緩和させる。このような方法を多重ユーザＭＩＭＯ（ｍｕｌｔｉ−ｕｓｅｒ  ｍｕｌｔｉ  ｉｎｐｕｔ  ｍｕｌｔｉ  ｏｕｔｐｕｔ：ＭＵ−ＭＩＭＯ）という。
【００３４】
ＭＵ−ＭＩＭＯ技法の適用時、基地局又はノードは、端末がどのようなプリコーディング行列を使用したか及びどのアップリンクチャネルを経たかをアップリンクＤＭ−ＲＳ（ｄｅｍｏｄｕｌａｔｉｏｎ  ｒｅｆｅｒｅｎｃｅ  ｓｉｇｎａｌ）を介して把握する。ＤＭ−ＲＳは、端末が送信するアップリンクデータチャネル又は制御チャネルと関連した基準信号である。
【００３５】
したがって、各端末が送信するアップリンクＤＭ−ＲＳ間には最大限相互間の干渉が無いようにすることによって、基地局又はノードが各端末に対する有効チャネルを正確に推定して干渉を除去し、円滑にデータ受信をすることができる。
【００３６】
図３は、３ＧＰＰ  ＬＴＥにおける無線フレームの構造を示す。
【００３７】
図３を参照すると、無線フレーム（ｒａｄｉｏ  ｆｒａｍｅ）は、１０個のサブフレーム（ｓｕｂｆｒａｍｅ）で構成され、一つのサブフレームは、２個の連続するスロット（ｓｌｏｔ）で構成される。一つのサブフレームの送信にかかる時間をＴＴＩ（ｔｒａｎｓｍｉｓｓｉｏｎ  ｔｉｍｅ  ｉｎｔｅｒｖａｌ）という。無線フレームの時間長さＴｆ＝３０７２００＊Ｔｓ＝１０ｍｓであり、２０個のスロットで構成される。スロットの時間長さＴｓｌｏｔ＝１５３６０＊Ｔｓ＝０．５ｍｓであり、０〜１９でナンバリングされる。ＦＤＤ（ｆｒｅｑｕｅｎｃｙ  ｄｉｖｉｓｉｏｎ  ｄｕｐｌｅｘ）は、各ノード又は基地局が端末に信号を送信するダウンリンクと端末が各ノード又は基地局に信号を送信するアップリンクが周波数領域で区分される。ＴＤＤ（ｔｉｍｅ  ｄｉｖｉｓｉｏｎ  ｄｕｐｌｅｘ）は、各ノード（又は、基地局）と端末との間にダウンリンクとアップリンクが同一周波数帯域を使用することができ、時間領域で区分される。
【００３８】
図４は、一つのスロットに対するリソースグリッド（ｒｅｓｏｕｒｃｅ  ｇｒｉｄ）を示す例示図である。
【００３９】
図４を参照すると、一つのスロットは、時間領域（ｔｉｍｅ  ｄｏｍａｉｎ）で複数のＯＦＤＭシンボルを含み、周波数領域でＮＲＢ個のリソースブロックを含む。ここで、一つのスロットは、７ＯＦＤＭＡシンボルを含み、一つのリソースブロック（ＲＢ）は、周波数領域で１２副搬送波（ｓｕｂｃａｒｒｉｅｒ）を含むことを例示的に記述するが、これに制限されるものではない。
【００４０】
リソースグリッド上の各要素（ｅｌｅｍｅｎｔ）をリソース要素（ｒｅｓｏｕｒｃｅ  ｅｌｅｍｅｎｔ：ＲＥ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００４１】
ダウンリンクスロットに含まれるリソースブロックの数ＮＤＬは、セルで設定されるダウンリンク送信帯域幅（ｂａｎｄｗｉｄｔｈ）に従属する。
【００４２】
図５は、ダウンリンクサブフレームの構造を示す。
【００４３】
図５を参照すると、ダウンリンクサブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大４個のＯＦＤＭシンボルを含むが、制御領域に含まれるＯＦＤＭシンボルの個数は、変わることができる。制御領域にはＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域にはＰＤＳＣＨ（ｐｈｙｓｉｃａｌ  ｄｏｗｎｌｉｎｋ  ｓｈａｒｅｄ  ｃｈａｎｎｅｌ）が割り当てられる。
【００４４】
３ＧＰＰ  ＴＳ  ３６．２１１  Ｖ１０．２．０に開示されているように、３ＧＰＰ  ＬＴＥ／ＬＴＥ−Ａにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）と、制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、及びＰＵＣＣＨ（Ｐｈｙｓｉｃａｌ  Ｕｐｌｉｎｋ  Ｃｏｎｔｒｏｌ  Ｃｈａｎｎｅｌ）と、に分けられる。
【００４５】
ダウンリンクサブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。まず、端末は、ＰＣＦＩＣＨ上にＣＦＩを受信した後、ＰＤＣＣＨをモニタリングする。
【００４６】
ＰＤＣＣＨと違って、ＰＣＦＩＣＨは、ブラインドデコーディングを使用せずに、サブフレームの固定されたＰＣＦＩＣＨリソースを介して送信される。
【００４７】
ＰＨＩＣＨは、アップリンクＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を伝送する。端末により送信されるＰＵＳＣＨ上のＵＬ（ｕｐｌｉｎｋ）データに対するＡＣＫ／ＮＡＣＫ信号は、ＰＨＩＣＨ上に送信される。
【００４８】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ  ｇｒａｎｔ）という）、ＰＵＳＣＨのリソース割当（これをＵＬグラント（ｕｐｌｉｎｋ  ｇｒａｎｔ）という）のようなスケジューリング情報、任意のＵＥグループ内の個別ＵＥに対する送信パワー制御命令の集合及び／又はＶｏＩＰ（Ｖｏｉｃｅ  ｏｖｅｒ  Ｉｎｔｅｒｎｅｔ  Ｐｒｏｔｏｃｏｌ）の活性化を含むことができる。
【００４９】
３ＧＰＰ  ＬＴＥにおいて、ＰＤＣＣＨの検出のためにブラインドデコーディングを使用する。ブラインドデコーディングは、受信されるＰＤＣＣＨ（これを候補（ｃａｎｄｉｄａｔｅ）ＰＤＣＣＨという）のＣＲＣ（ｃｙｃｌｉｃ  ｒｅｄｕｎｄａｎｃｙ  ｃｈｅｃｋ）に所望の識別子をデマスキングし、ＣＲＣエラーをチェックして該当ＰＤＣＣＨが自分の制御チャネルであるかどうかを確認する方式である。
【００５０】
基地局は、端末に送るＤＣＩによってＰＤＣＣＨフォーマットを決定した後、ＤＣＩにＣＲＣを付け、ＰＤＣＣＨの所有者（ｏｗｎｅｒ）や用途によって固有な識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という）をＣＲＣにマスキングする。
【００５１】
サブフレーム内の制御領域は、複数のＣＣＥ（ｃｏｎｔｒｏｌ  ｃｈａｎｎｅｌ  ｅｌｅｍｅｎｔ）を含む。ＣＣＥは、無線チャネルの状態にともなう符号化率をＰＤＣＣＨに提供するために使われる論理的割当単位であり、複数のＲＥＧ（ｒｅｓｏｕｒｃｅ  ｅｌｅｍｅｎｔ  ｇｒｏｕｐ）に対応される。ＲＥＧは、複数のリソース要素（ｒｅｓｏｕｒｃｅ  ｅｌｅｍｅｎｔ）を含む。ＣＣＥの数とＣＣＥにより提供される符号化率の関係によってＰＤＣＣＨのフォーマット及び可能なＰＤＣＣＨのビット数が決定される。
【００５２】
一つのＲＥＧは４個のＲＥを含み、一つのＣＣＥは９個のＲＥＧを含む。一つのＰＤＣＣＨを構成するために｛１，２，４，８｝個のＣＣＥを使用することができ、｛１，２，４，８｝の各々の要素をＣＣＥアグリゲーションレベル（ａｇｇｒｅｇａｔｉｏｎ  ｌｅｖｅｌ）という。
【００５３】
ＰＤＤＣＨの送信に使われるＣＣＥの個数は、基地局がチャネル状態によって決定する。例えば、良いダウンリンクチャネル状態を有する端末には一つのＣＣＥをＰＤＣＣＨ送信に使用することができる。悪い（ｐｏｏｒ）ダウンリンクチャネル状態を有する端末には８個のＣＣＥをＰＤＣＣＨ送信に使用することができる。
【００５４】
一つ又はそれ以上のＣＣＥで構成された制御チャネルは、ＲＥＧ単位のインターリービングを実行し、セルＩＤ（ｉｄｅｎｔｉｆｉｅｒ）に基づく循環シフト（ｃｙｃｌｉｃ  ｓｈｉｆｔ）が実行された後に物理的リソースにマッピングされる。
【００５５】
図６は、ＦＤＤ（Ｆｒｅｑｕｅｎｃｙ  Ｄｉｖｉｓｉｏｎ  Ｄｕｐｌｅｘ）システムにおける無線フレーム内で同期化信号（ｓｙｎｃｈｒｏｎｉｚａｔｉｏｎ  ｓｉｇｎａｌ）及びＰＢＣＨを送信するＯＦＤＭシンボルを示す。
【００５６】
図６を参照すると、ＰＳＳ（Ｐｒｉｍａｒｙ  Ｓｙｎｃｈｒｏｎｉｚａｔｉｏｎ  Ｓｉｇｎａｌ）は、フレーム内の０番目のスロットと１０番目のスロットの最後のＯＦＤＭシンボルを介して送信される。前記２個のＯＦＤＭシンボルを介して同一ＰＳＳ（Ｐｒｉｍａｒｙ  Ｓｙｎｃｈｒｏｎｉｚａｔｉｏｎ  Ｓｉｇｎａｌ）が送信される。ＰＳＳは、物理的セルＩＤ、ＯＦＤＭシンボル同期、スロット同期などの時間領域（ｔｉｍｅ  ｄｏｍａｉｎ）同期及び／又は周波数領域同期を得るために使われる。ＰＳＳとしてＺＣ（Ｚａｄｏｆｆ−Ｃｈｕ）シーケンスが使われることができ、無線通信システムには少なくとも一つのＰＳＳがある。
【００５７】
ＳＳＳ（Ｓｅｃｏｎｄａｒｙ  Ｓｙｎｃｈｒｏｎｉｚａｔｉｏｎ  Ｓｉｇｎａｌ）は、フレーム内の０番目のスロットと１０番目のスロットの最後のＯＦＤＭシンボルから直前のＯＦＤＭシンボルを介して送信される。即ち、ＳＳＳ及びＰＳＳは、隣接する（ｃｏｎｔｉｇｕｏｕｓ）ＯＦＤＭシンボルを介して送信されることができる。また、ＳＳＳは、送信される２個のＯＦＤＭシンボルを介して互いに異なるＳＳＳが送信される。ＳＳＳは、物理的セルＩＤ、フレーム同期及び／又はセルのＣＰ構成、即ち、ノーマル（ｎｏｒｍａｌ）ＣＰ又は拡張ＣＰ（ｅｘｔｅｎｄｅｄ  ＣＰ）の使用情報を得るために使われる。ＳＳＳとしてｍ−シーケンスが使われることができる。一つのＯＦＤＭシンボルには２個のｍ−シーケンスが含まれる。例えば、一つのＯＦＤＭシンボルに６３副搬送波が含まれるとする時、長さ３１であるｍ−シーケンス２個が一つのＯＦＤＭシンボルにマッピングされる。
【００５８】
物理的セルＩＤをＮｃｅｌｌＩＤとすると、ＮｃｅｌｌＩＤは、以下の数式１により求められる。
【００５９】
【数１】
0005726380.tif 000002
【００６０】
ここで、Ｎ（２）ＩＤは、０〜２のうち一つであり、物理階層ＩＤを示し、ＰＳＳを介して求められる。Ｎ（１）ＩＤは、０〜１６７のうち一つであり、セルグループＩＤを示し、ＳＳＳを介して求められる。
【００６１】
ＰＢＣＨ（Ｐｈｙｓｉｃａｌ  Ｂｒｏａｄｃａｓｔ  Ｃｈａｎｎｅｌ）は、時間領域で無線フレームのサブフレーム０（１番目のサブフレーム）に位置する。例えば、ＰＢＣＨは、サブフレーム０の２番目のスロット、即ち、スロット１の前方部の４個のＯＦＤＭシンボル（ＯＦＤＭシンボル０からＯＦＤＭシンボル３まで）で送信されることができる。ＰＢＣＨは、周波数領域で７２個の連続する副搬送波を介して送信されることができる。ＰＢＣＨは、制限された個数の一番頻繁に送信される最初セル接続に必須なパラメータを伝送する。このような必須なパラメータを含むことがマスター情報ブロック（ｍａｓｔｅｒ  ｉｎｆｏｒｍａｔｉｏｎ  ｂｌｏｃｋ、ＭＩＢ）である。ＰＢＣＨでの各ＭＩＢ送信は、４０ｍｓ周期にスプレッディング（ｓｐｒｅａｄｉｎｇ）される。即ち、連続する４個のフレームで送信される。これは一つのＭＩＢ全体を失うことを防止するためである。
【００６２】
図７は、アップリンクサブフレームの構造を示す。
【００６３】
図７を参照すると、アップリンクサブフレームは、周波数領域で制御領域（ｃｏｎｔｒｏｌ  ｒｅｇｉｏｎ）とデータ領域（ｄａｔａ  ｒｅｇｉｏｎ）とに分けられることができる。制御領域にはアップリンク制御情報（ｕｐｌｉｎｋ  ｃｏｎｔｒｏｌ  ｉｎｆｏｒｍａｔｉｏｎ、ＵＣＩ）が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域には、アップリンクデータ及び／又はアップリンク制御情報が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。このような意味で、制御領域は、ＰＵＣＣＨ領域といい、データ領域は、ＰＵＳＣＨ領域という。上位階層で指示される設定情報によって、端末は、ＰＵＳＣＨとＰＵＣＣＨの同時送信をサポートすることもあり、又はＰＵＳＣＨとＰＵＣＣＨの同時送信をサポートしないこともある。
【００６４】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックとアップリンク制御情報が多重化されたものである。例えば、アップリンクデータに多重化されるアップリンク制御情報には、ＣＱＩ（ｃｈａｎｎｅｌ  ｑｕａｌｉｔｙ  ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＨＡＲＱ（ｈｙｂｒｉｄ  ａｕｔｏｍａｔｉｃ  ｒｅｐｅａｔ  ｒｅｑｕｅｓｔ）、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）、ＲＩ（Ｒａｎｋ  Ｉｎｄｉｃａｔｏｒ）、ＰＴＩ（ｐｒｅｃｏｄｉｎｇ  ｔｙｐｅ  ｉｎｄｉｃａｔｉｏｎ）などがある。このようにアップリンク制御情報がアップリンクデータと共にデータ領域で送信されることをＵＣＩのピギーバック（ｐｉｇｇｙｂａｃｋ）送信という。ＰＵＳＣＨではアップリンク制御情報のみが送信されることもできる。
【００６５】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間によって互いに異なる副搬送波を介して送信することによって、周波数ダイバーシティ（ｄｉｖｅｒｓｉｔｙ）利得を得ることができる。
【００６６】
端末は、スクランブリング（ｓｃｒａｍｂｌｉｎｇ）、変調（ｍｏｄｕｌａｔｉｏｎ）、送信レイヤへのマッピング、プリコーディング、リソース要素へのマッピング、ＳＣ−ＦＤＭＡ信号生成過程を経てＰＵＳＣＨ信号を生成する。このとき、スクランブリングに使われるシーケンスは、端末特定的なＩＤ（端末に対するＲＮＴＩ）と物理的セルＩＤに基づいて生成される。
【００６７】
以下、アップリンク基準信号に対して説明する。
【００６８】
基準信号は、一般的にシーケンスで送信される。基準信号シーケンスは、特別な制限無しに任意のシーケンスが使われることができる。基準信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。または、基準信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、基準信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、基準信号シーケンスは、循環シフトされたシーケンス（ｃｙｃｌｉｃａｌｌｙ  ｓｈｉｆｔｅｄ  ｓｅｑｕｅｎｃｅ）を利用することができる。
【００６９】
アップリンク基準信号は、復調基準信号（ＤＭ−ＲＳ；Ｄｅｍｏｄｕｌａｔｉｏｎ−Ｒｅｆｅｒｅｎｃｅ  Ｓｉｇｎａｌ）とサウンディング基準信号（ＳＲＳ；Ｓｏｕｎｄｉｎｇ  Ｒｅｆｅｒｅｎｃｅ  Ｓｉｇｎａｌ）とに区分されることができる。ＤＭ−ＲＳは、受信された信号の復調のためのチャネル推定に使われる基準信号である。ＤＭ−ＲＳは、ＰＵＳＣＨ又はＰＵＣＣＨの送信と結合されることができる。ＳＲＳは、アップリンクスケジューリングのために端末が基地局に送信する基準信号である。基地局は、受信されたサウンディング基準信号を介してアップリンクチャネルを推定し、推定されたアップリンクチャネルをアップリンクスケジューリングに利用する。ＳＲＳは、ＰＵＳＣＨ又はＰＵＣＣＨの送信と結合されない。ＤＭ−ＲＳとＳＲＳのために同一種類の基本シーケンスが使われることができる。一方、アップリンク多重アンテナ送信において、ＤＭ−ＲＳに適用されたプリコーディングは、ＰＵＳＣＨに適用されたプリコーディングと同じである。循環シフト分離（ｃｙｃｌｉｃ  ｓｈｉｆｔ  ｓｅｐａｒａｔｉｏｎ）は、ＤＭ−ＲＳを多重化する基本技法（ｐｒｉｍａｒｙ  ｓｃｈｅｍｅ）である。３ＧＰＰ  ＬＴＥ−Ａシステムにおいて、ＳＲＳは、プリコーディングされず、また、アンテナ特定された基準信号である。
【００７０】
基準信号シーケンスｒｕ，ｖ（α）（ｎ）は、数式２によって基本シーケンスｂｕ，ｖ（ｎ）と循環シフトαに基づいて定義されることができる。
【００７１】
【数２】
0005726380.tif 000003
【００７２】
数式２において、ＭｓｃＲＳ（１≦ｍ≦ＮＲＢｍａｘ，ＵＬ）は、基準信号シーケンスの長さであり、ＭｓｃＲＳ＝ｍ＊ＮｓｃＲＢである。ＮｓｃＲＢは、周波数領域で副搬送波の個数で表すリソースブロックの大きさを示し、ＮＲＢｍａｘ，ＵＬは、ＮｓｃＲＢの倍数で表すアップリンク帯域幅の最大値を示す。複数の基準信号シーケンスは、一つの基本シーケンスから循環シフト値であるαを異なるように適用して定義されることができる。
【００７３】
基本シーケンスｂｕ，ｖ（ｎ）は、複数のグループに分けられ、このとき、ｕ∈｛０，１，．．．，２９｝はグループインデックスを示し、ｖはグループ内で基本シーケンスインデックスを示す。基本シーケンスは、基本シーケンスの長さ（ＭｓｃＲＳ）に依存する。各グループは、１≦ｍ≦５であるｍに対して長さがＭｓｃＲＳである一つの基本シーケンス（ｖ＝０）を含み、６≦ｍ≦ｎＲＢｍａｘ，ＵＬであるｍに対しては長さがＭｓｃＲＳである２個の基本シーケンス（ｖ＝０，１）を含む。シーケンスグループインデックスｕとグループ内の基本シーケンスインデックスｖは、後述するグループホッピング（ｇｒｏｕｐ  ｈｏｐｐｉｎｇ）又はシーケンスホッピング（ｓｅｑｕｅｎｃｅ  ｈｏｐｐｉｎｇ）のように時間によって変わることができる。
【００７４】
また、基準信号シーケンスの長さが３ＮｓｃＲＢ又はそれ以上である場合、基本シーケンスは、数式３によって定義されることができる。
【００７５】
【数３】
0005726380.tif 000004
【００７６】
数式３において、ｑは、ＺＣ（Ｚａｄｏｆｆ−Ｃｈｕ）シーケンスのルートインデックス（ｒｏｏｔ  ｉｎｄｅｘ）を示す。ＮＺＣＲＳは、ＺＣシーケンスの長さであり、ＭｓｃＲＳより小さい最大素数（ｐｒｉｍｅ  ｎｕｍｂｅｒ）として与えられることができる。ルートインデックスｑであるＺＣシーケンスは、数式４により定義されることができる。
【００７７】
【数４】
0005726380.tif 000005
【００７８】
ｑは、数式５によって与えられることができる。
【００７９】
【数５】
0005726380.tif 000006
【００８０】
基準信号シーケンスの長さが３ＮｓｃＲＢ以下である場合、基本シーケンスは、数式６によって定義されることができる。
【００８１】
【数６】
0005726380.tif 000007
【００８２】
表１は、ＭｓｃＲＳ＝ＮｓｃＲＢの時、φ（ｎ）を定義した例示である。
【００８３】
【表１】
0005726380.tif 000008
【００８４】
表２は、ＭｓｃＲＳ＝２＊ＮｓｃＲＢの時、φ（ｎ）を定義した例示である。
【００８５】
【表２】
0005726380.tif 000009
【００８６】
基準信号のホッピングは、下記のように適用されることができる。
【００８７】
スロットインデックスｎｓ別にシーケンスグループインデックスｕは、数式７によってグループホッピングパターンｆｇｈ（ｎｓ）とシーケンスシフトパターンｆｓｓに基づいて定義されることができる。
【００８８】
【数７】
0005726380.tif 000010
【００８９】
１７個の互いに異なるグループホッピングパターンと３０個の互いに異なるシーケンスシフトパターンが存在することができる。グループホッピングの適用可否は、上位階層によって指示されることができる。
【００９０】
ＰＵＣＣＨとＰＵＳＣＨは、同一グループホッピングパターンを有することができる。グループホッピングパターンｆｇｈ（ｎｓ）は、数式８によって定義されることができる。
【００９１】
【数８】
0005726380.tif 000011
【００９２】
数式８において、ｃ（ｉ）は、ＰＮシーケンスである疑似ランダムシーケンス（ｐｓｅｕｄｏ−ｒａｎｄｏｍ  ｓｅｑｕｅｎｃｅ）であり、長さ−３１のゴールド（Ｇｏｌｄ）シーケンスにより定義されることができる。数式９は、ゴールドシーケンスｃ（ｎ）の一例を示す。
【００９３】
【数９】
0005726380.tif 000012
【００９４】
ここで、Ｎｃ＝１６００であり、ｘ１（ｉ）は第１のｍ−シーケンスであり、ｘ２（ｉ）は第２のｍ−シーケンスである。例えば、第１のｍ−シーケンス又は第２のｍ−シーケンスは、ＳＣ−ＦＤＭＡシンボル毎にセルＩＤ、一つの無線フレーム内のスロット番号、スロット内のＳＣ−ＦＤＭＡシンボルインデックス、ＣＰの種類などによって初期化（ｉｎｉｔｉａｌｉｚａｔｉｏｎ）されることができる。疑似ランダムシーケンス生成器は、各無線フレームの初めで
【化１】
0005726380.tif 000013
で初期化されることができる。
【００９５】
ＰＵＣＣＨとＰＵＳＣＨは、同一シーケンスシフトパターンを有することができる。ＰＵＣＣＨのシーケンスシフトパターンｆｓｓＰＵＣＣＨ＝ＮＩＤｃｅｌｌｍｏｄ３０として与えられることができる。ＰＵＳＣＨのシーケンスシフトパターンｆｓｓＰＵＳＣＨ＝（ｆｓｓＰＵＣＣＨ＋Δｓｓ）ｍｏｄ３０として与えられることができ、Δｓｓ∈｛０，１，．．．，２９｝は、上位階層によって構成されることができる。
【００９６】
シーケンスホッピングは、長さが６ＮｓｃＲＢより長い基準信号シーケンスにのみ適用されることができる。長さが６ＮｓｃＲＢより短い基準信号の場合、基本シーケンスグループ内の基本シーケンスインデックスｖは、０として与えられる。長さが６ＮｓｃＲＢ以上である基準信号の場合、スロットインデックスｎｓの基本シーケンスグループ内の基本シーケンスインデックスｖは、数式１０により定義されることができる。
【００９７】
【数１０】
0005726380.tif 000014
【００９８】
ｃ（ｉ）は、数式９の例示によって表現されることができ、シーケンスホッピングの適用可否は、上位階層によって指示されることができる。疑似ランダムシーケンス生成器は、各無線フレームの初めで
【化２】
0005726380.tif 000015
で初期化されることができる。
【００９９】
ＰＵＳＣＨのためのＤＭ−ＲＳシーケンスは、数式１１によって定義されることができる。
【０１００】
【数１１】
0005726380.tif 000016
【０１０１】
数式１１において、λは、レイヤ（ｌａｙｅｒ）を示し、｛０，１，．．．，ｖ−１｝のうちいずれか一つであり、ｍ＝０、１であり、ｎ＝０，．．．，ＭｓｃＲＳ−１である。ＭｓｃＲＳ＝ＭｓｃＰＵＳＣＨ、シーケンス
【化３】
0005726380.tif 000017
は、数式２により定義される。
【０１０２】
直交シーケンスｗ（λ）（ｍ）は、ＤＣＩフォーマット０に対して上位階層パラメータ（Ａｃｔｉｖａｔｅ−ＤＭＲＳ−ｗｉｔｈ  ＯＣＣ）が設定されない、又は臨時Ｃ−ＲＮＴＩが該当ＰＵＳＣＨ送信に関連したトランスポートブロックのための最も最近のアップリンク関連ＤＣＩを送信するために使われた場合、［ｗ（λ）（０）ｗ（λ）（１）］＝［１  １］であり、その以外には以下の表のように該当ＰＵＳＣＨ送信に関連されたトランスポートブロックのための最も最近のアップリンク関連ＤＣＩに含まれている循環シフトフィールド（ｃｙｃｌｉｃ  ｓｈｉｆｔ  ｆｉｅｌｄ）によって与えられる。
【０１０３】
【表３】
0005726380.tif 000018
【０１０４】
スロットｎｓ内で循環シフト値であるαλ＝２πｎｃｓ，λ／１２として与えられ、ｎｃｓ，λは、数式１２によって定義されることができる。
【０１０５】
【数１２】
0005726380.tif 000019
【０１０６】
数式１２において、ｎ（２）ＤＭＲＳ，λは、該当ＰＵＳＣＨ送信に関連したトランスポートブロックのための最も最近のアップリンク関連ＤＣＩに含まれているＤＭＲＳのための循環シフトフィールドにより前記表３により与えられる値であり、ｎ（１）ＤＭＲＳは、上位階層信号で与えられるパラメータ‘ｃｙｃｌｉｃＳｈｉｆｔ’によって以下の表４により与えられる値である。
【０１０７】
【表４】
0005726380.tif 000020
【０１０８】
ｎＰＮ（ｎｓ）は、以下の数式のように与えられる。
【０１０９】
【数１３】
0005726380.tif 000021
【０１１０】
数式１３において、疑似ランダムシーケンスｃ（ｉ）は、数式９により定義される。疑似ランダムシーケンス生成器は、各無線フレームの初めで
【化４】
0005726380.tif 000022
で初期化されることができる。
【０１１１】
基準信号のベクトルは、以下の数式のようにプリコーディングされることができる。
【０１１２】
【数１４】
0005726380.tif 000023
【０１１３】
数式１４において、Ｐは、ＰＵＳＣＨ送信のために使われるアンテナポートのナンバである。単一アンテナポートを使用するＰＵＳＣＨ送信に対してＰ＝１、Ｗ＝１、ｖ＝１である。
【０１１４】
空間多重化に対してＰ＝２又はＰ＝４であり、プリコーディング行列Ｗは、同一サブフレームでＰＵＳＣＨに使われるプリコーディング行列と同じである。
【０１１５】
数式２〜数式１４を参考して前述したように、従来ＤＭ−ＲＳは、基本シーケンス（ｂａｓｅ  ｓｅｑｕｅｎｃｅ）生成、グループホッピング、及びシーケンスホッピング過程が物理的セルＩＤに基づいて生成される。
【０１１６】
前述した過程を経て生成されるＤＭ−ＲＳは、物理的リソースにマッピングされた後送信される。
【０１１７】
図８は、基準信号が送信されるサブフレームの構造の一例である。
【０１１８】
図８−（ａ）のサブフレームの構造は、ノーマルＣＰの場合を示す。サブフレームは、第１のスロットと第２のスロットを含む。第１のスロットと第２のスロットの各々は、７ＳＣ−ＦＤＭＡシンボルを含む。サブフレーム内の１４ＳＣ−ＦＤＭＡシンボルは、０から１３までのシンボルインデックスが付けられている。シンボルインデックスが３及び１０であるＳＣ−ＦＤＭＡシンボルを介して基準信号が送信されることができる。基準信号は、シーケンスを利用して送信されることができる。基準信号シーケンスとしてＺＣ（Ｚａｄｏｆｆ−Ｃｈｕ）シーケンスが使われることができ、ルートインデックス（ｒｏｏｔ  ｉｎｄｅｘ）と循環シフト（ｃｙｃｌｉｃ  ｓｈｉｆｔ）値によって多様なＺＣシーケンスが生成されることができる。基地局は、端末に互いに異なる循環シフト値を割り当て、直交（ｏｒｔｈｏｇｏｎａｌ）シーケンス又は準直交（ｑｕａｓｉ−ｏｒｔｈｏｇｏｎａｌ）シーケンスを介して複数の端末のチャネルを推定することができる。前記サブフレーム内の２個のスロットで基準信号が占める周波数領域の位置は、互いに同じであってもよく、異なってもよい。２個のスロットでは同一基準信号シーケンスが使われる。基準信号が送信されるＳＣ−ＦＤＭＡシンボルを除いた残りのＳＣ−ＦＤＭＡシンボルを介してデータが送信されることができる。図８−（ｂ）のサブフレームの構造は、拡張ＣＰの場合を示す。サブフレームは、第１のスロットと第２のスロットを含む。第１のスロットと第２のスロットの各々は、６ＳＣ−ＦＤＭＡシンボルを含む。サブフレーム内の１２ＳＣ−ＦＤＭＡシンボルは、０から１１までのシンボルインデックスが付けられている。シンボルインデックスが２及び８であるＳＣ−ＦＤＭＡシンボルを介して基準信号が送信される。基準信号が送信されるＳＣ−ＦＤＭＡシンボルを除いた残りのＳＣ−ＦＤＭＡシンボルを介してデータが送信される。
【０１１９】
ＭＵ−ＭＩＭＯ送信時、従来の方法は、同一周波数帯域を多重端末にＰＵＳＣＨリソースとして割り当てる。そして、各端末は、ＤＭ−ＲＳシーケンスを生成する時、互いに異なる循環シフト値（α）を適用してＯＣＣ（ｏｒｔｈｏｇｏｎａｌ  ｃｏｄｅ  ｃｏｖｅｒ）値を適用する。このような方法によって端末間に最大限直交形態のＤＭ−ＲＳシーケンスを送信するようになる。しかし、多重ノードシステムでは、端末の数が多いため、各端末間にアップリンクチャネル品質が異なることもあり、アップリンク信号送信量が異なることもある。したがって、各端末に互いに異なるリソースブロック個数を有するＰＵＳＣＨリソースを割り当てることが要求されることができる。
【０１２０】
そのために、各端末に互いに異なるリソースブロック個数を有するＰＵＳＣＨリソースが割り当てられ、割り当てられたＰＵＳＣＨリソース間に重なる領域が存在することができる。即ち、各端末に割り当てられたＰＵＳＣＨ領域のうち一部でのみＭＵ−ＭＩＭＯ送信を実行するようにスケジューリングされることができる。この場合、重なるＰＵＳＣＨリソースの割当を受けた端末が従来の方法によってＤＭ−ＲＳを生成すると、ＤＭ−ＲＳを構成するシーケンス間に直交性が著しく損なわれる。
【０１２１】
図９は、本発明の一実施例に係るＤＭ−ＲＳ送信方法を示す。端末＃１、２は、ＭＵ−ＭＩＭＯで動作する端末であると仮定する。
【０１２２】
図９を参照すると、基地局又はノードは、端末＃１、＃２に同期化信号を介して物理的セルＩＤを送信する（Ｓ１０１）。
【０１２３】
基地局又はノードは、上位階層信号を介して仮想セルＩＤ＃１に対するパラメータを端末＃１に送信する（Ｓ１０２）。また、基地局又はノードは、上位階層信号を介して仮想セルＩＤ＃２に対するパラメータを送信する（Ｓ１０３）。ここで、仮想セルＩＤは、端末別に提供される仮想のセルＩＤであり、物理的セルＩＤと異なるセルＩＤである。仮想セルＩＤは、端末がアップリンクＤＭ−ＲＳを生成するために使われることができる。
【０１２４】
仮想セルＩＤに対するパラメータは、例えば、物理的セルＩＤ生成に使われるＮ（１）ＩＤ、Ｎ（２）ＩＤのように複数に与えられることができる。
【０１２５】
図９では仮想セルＩＤに対するパラメータをＲＲＣ（ｒａｄｉｏ  ｒｅｓｏｕｒｃｅ  ｃｏｎｔｒｏｌ）メッセージのような上位階層信号を介して送信する例を説明したが、これに制限されるものではない。即ち、仮想セルＩＤに対するパラメータは、物理階層制御情報、即ち、ＤＣＩに含まれて送信されることもできる。
【０１２６】
基地局又はノードは、端末＃１に第１のアップリンクスケジューリング情報を送信する（Ｓ１０４）。基地局又はノードは、端末＃２に第２のアップリンクスケジューリング情報を送信する（Ｓ１０５）。ここで、第１のアップリンクスケジューリング情報と第２のアップリンクスケジューリング情報は、端末＃１、２に互いに異なるリソースブロック個数を有するＰＵＳＣＨをスケジューリングし、一部リソースブロックが重なるようにすることができる。
【０１２７】
端末＃１は、物理的セルＩＤを利用してアップリンク信号を送信し、仮想セルＩＤ＃１を利用してＤＭ−ＲＳを送信する（Ｓ１０６）。物理的セルＩＤを利用するアップリンク信号には、例えば、ＳＲＳがある。端末＃２は、物理的セルＩＤを利用してアップリンク信号を送信し、仮想セルＩＤ＃２を利用してＤＭ−ＲＳを送信する（Ｓ１０７）。
【０１２８】
即ち、各端末は、同一物理的セルＩＤを利用して一部アップリンク信号を生成して送信し、互いに異なる仮想セルＩＤを利用してＤＭ−ＲＳを生成して送信することができる。即ち、端末は、ＤＭ−ＲＳを生成するために前述した数式２〜数式１３の一部又は全部で物理的セルＩＤであるＮｃｅｌｌＩＤの代わりに仮想セルＩＤを使用し、同一セル内にある端末が互いに異なる仮想セルＩＤを利用してＤＭ−ＲＳシーケンスを生成するようになる。この場合、端末＃１、２は、ＰＵＳＣＨに割当を受けたリソースブロック個数が互いに異なり、ＤＭ−ＲＳは、割当を受けたＰＵＳＣＨ領域でのみ送信されることができる。したがって、ＤＭ−ＲＳシーケンス間に完全な直交性は維持されない。しかし、割当を受けたリソースブロック個数が互いに異なる端末が同一物理的セルＩＤを利用して生成したＤＭ−ＲＳシーケンスを循環シフト、又はＯＣＣを利用して区分した後に送信する時より良い性能を提供する。各端末が仮想セルＩＤに対するパラメータを利用してＤＭ−ＲＳを生成する過程をさらに詳細に説明する。
【０１２９】
仮想セルＩＤは、数式２〜数式１３で記述したＤＭ−ＲＳの基本シーケンス（ｂａｓｅ  ｓｅｑｕｅｎｃｅ）生成、グループホッピング、及びシーケンスホッピング過程のうち一部又は全部で物理的セルＩＤを代えることができる。前述したように、ＤＭ−ＲＳとして使われるシーケンスは、複数のシーケンスグループのうち一つのシーケンスグループから選択された基本シーケンスを循環シフトさせて生成される。複数のシーケンスグループの各々は、少なくとも一つの基本シーケンスを含む。
【０１３０】
また、ＤＭ−ＲＳは、時間領域で複数のスロットを含むフレームで少なくとも２個のスロットで送信される。このとき、ＤＭ−ＲＳが送信されるスロットで各スロット毎に一つのシーケンスグループが選択される。このような過程をグループホッピングという。そして、選択された一つのシーケンスグループ内から一つの基本シーケンスを選択し、この過程をシーケンスホッピングという。
【０１３１】
もし、前記三つの過程で既存物理的セルＩＤを代えようとする値が各々異なる場合、仮想セルＩＤに対するパラメータは、複数のパラメータで構成されることができる。
【０１３２】
例えば、ＤＭ−ＲＳの基本シーケンス生成時に使用するセルＩＤとＤＭ−ＲＳシーケンスホッピングに使用するセルＩＤが異なる場合、提案する仮想セルＩＤに対するパラメータは、複数個のセルＩＤ又はそれらを代える複数個のパラメータを含むことができる。
【０１３３】
提案する仮想セルＩＤに対するパラメータは、物理的セルＩＤと同一に０以上５０３以下の整数値を有する仮想セルＩＤだけでなく、既存ＤＭ−ＲＳ生成過程において物理的セルＩＤが関与する値を代えることができる他のパラメータを含むこともできる。既存ＤＭ−ＲＳ生成過程において、物理的セルＩＤは、シーケンスホッピング過程で使われるｃｉｎｉｔ値、ＤＭ−ＲＳグループホッピング過程で使われるｃｉｎｉｔ値とシーケンスシフトパターン（ｓｅｑｕｅｎｃｅ−ｓｈｉｆｔ  ｐａｔｔｅｒｎ）値ｆｓｓ、ＤＭ−ＲＳシーケンス生成過程に使われるｃｉｎｉｔ値などを生成するのに影響を及ぼす。即ち、従来三つのｃｉｎｉｔ、ｆｓｓなどは、物理的セルＩＤにより決定されたが、本発明で提案する方法を適用すると、仮想セルＩＤに対するパラメータにより決定される。したがって、仮想セルＩＤに対するパラメータは、仮想セルＩＤだけでなく、前記三つのｃｉｎｉｔ値とｆｓｓ値のうち一部を含むことができる。前記三つのｃｉｎｉｔ値は、生成式が各々異なるため、仮想セルＩＤに対するパラメータに独立的に含まれることができる。一実施例として提案する仮想セルＩＤに対するパラメータは、ＤＭ−ＲＳシーケンスホッピング及びグループホッピング過程において、物理的セルＩＤを代える仮想セルＩＤとＤＭ−ＲＳシーケンス生成過程において物理的セルＩＤにより決定されたｃｉｎｉｔ値を代えるｃｉｎｉｔ値を含むように構成されることができる。
【０１３４】
提案する仮想セルＩＤは、ＰＵＳＣＨ  ＤＭ−ＲＳとＰＵＣＣＨ  ＤＭ−ＲＳのうち少なくとも一つの生成に利用されることができ、それぞれのＤＭ−ＲＳ生成に利用される仮想セルＩＤは異なることができる。
【０１３５】
基地局は、端末が物理的セルＩＤを使用してＤＭ−ＲＳを生成するか、仮想セルＩＤに対するパラメータを使用してＤＭ−ＲＳを生成するかを指示する情報をＲＲＣメッセージのような上位階層信号又はＤＣＩに含んで予め知らせることができる。図９において、ＭＵ−ＭＩＭＯを実行する各端末が仮想セルＩＤを利用してＤＭ−ＲＳを送信する例のみを説明したが、これに制限されるものではない。即ち、各端末は、アップリンク信号のうち、ＤＭ−ＲＳ外に追加的に他のアップリンク信号も仮想セルＩＤを利用して送信することができる。
【０１３６】
図１０は、本発明の実施例に係る基地局及び端末の構成を示す。
【０１３７】
基地局１００は、ノードの一例である。基地局１００は、プロセッサ（ｐｒｏｃｅｓｓｏｒ）１１０、メモリ（ｍｅｍｏｒｙ）１２０、及びＲＦ部（ＲＦ（ｒａｄｉｏ  ｆｒｅｑｕｅｎｃｙ）  ｕｎｉｔ）１３０を含む。プロセッサ１１０は、提案された機能、過程及び／又は方法を具現する。例えば、プロセッサ１１０は、端末に上位階層信号又は物理階層信号を介して仮想セルＩＤに対するパラメータを送信し、スケジューリング情報を送信する。スケジューリング情報は、複数の端末が割り当てられたＰＵＳＣＨ無線リソースのうち一部領域でＭＵ−ＭＩＭＯを実行するようにスケジューリングすることができる。また、プロセッサ１１０は、同期化信号を介して物理的セルＩＤを知らせる。メモリ１２０は、プロセッサ１１０と連結され、プロセッサ１１０を駆動するための多様な情報を格納する。ＲＦ部１３０は、プロセッサ１１０と連結され、無線信号を送信及び／又は受信する。
【０１３８】
端末２００は、プロセッサ２１０、メモリ２２０、及びＲＦ部２３０を含む。プロセッサ２１０は、提案された機能、過程及び／又は方法を具現する。例えば、プロセッサ２１０は、基地局から同期化信号を介して物理的セルＩＤを受信し、上位階層信号又は物理階層信号を介して仮想セルＩＤに対するパラメータを受信する。仮想セルＩＤに対するパラメータは、仮想セルＩＤを生成するために使われ、仮想セルＩＤは、アップリンクＤＭ−ＲＳシーケンスを生成するために使われることができる。即ち、プロセッサ２１０は、一部アップリンク信号を物理的セルＩＤを利用して生成し、残りのアップリンク信号を仮想セルＩＤを利用して生成することができる。物理的セルＩＤは、セル特定的（即ち、セル別に特定）であり、仮想セルＩＤは、ノード特定的（即ち、同一セル内の他のノードは、他の仮想セルＩＤを有することができる）である。メモリ２２０は、プロセッサ２１０と連結され、プロセッサ２１０を駆動するための多様な情報を格納する。ＲＦ部２３０は、プロセッサ２１０と連結され、無線信号を送信及び／又は受信する。
【０１３９】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／又はベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部１３０、２３０は、無線信号を送信及び／又は受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部又は外部にあり、よく知られた多様な手段によりプロセッサ１１０、２１０と連結されることができる。
【０１４０】
以上、本発明に対して実施例を参照して説明したが、該当技術分野の通常の知識を有する者は、本発明の技術的思想及び領域から外れない範囲内で本発明を多様に修正及び変更させて実施可能であることを理解することができる。したがって、本発明は、前述した実施例に限定されるものではなく、特許請求の範囲内の全ての実施例を含む。
（項目１）
多重ノードシステムにおける端末のアップリンク基準信号送信方法において、
ノードから同期化信号を受信するステップ；
前記ノードから仮想セルＩＤ（ｉｄｅｎｔｉｆｉｅｒ）に対するパラメータを受信するステップ；
前記仮想セルＩＤに対するパラメータを利用してアップリンク復調基準信号（ｄｅｍｏｄｕｌａｔｉｏｎ  ｒｅｆｅｒｅｎｃｅ  ｓｉｇｎａｌ：ＤＭ−ＲＳ）を生成するステップ；及び、
前記生成されたアップリンクＤＭ−ＲＳを前記ノードに送信するステップ；を含み、
物理的セルＩＤは、前記同期化信号から受信されるセルＩＤであり、
前記仮想セルＩＤに対するパラメータは、前記物理的セルＩＤを代えて前記アップリンクＤＭ−ＲＳを生成するために使われるパラメータであることを特徴とする方法。
（項目２）
前記仮想セルＩＤに対するパラメータは、端末毎に異なるように与えられる端末特定的パラメータであることを特徴とする項目１に記載の方法。
（項目３）
前記アップリンクＤＭ−ＲＳは、複数のシーケンスグループのうち一つのシーケンスグループから選択された基本シーケンスを循環シフトさせて生成され、前記複数のシーケンスグループの各々は、少なくとも一つの基本シーケンスを含むことを特徴とする項目１に記載の方法。
（項目４）
前記循環シフトは、前記仮想セルＩＤに対するパラメータに基づいて決定されることを特徴とする項目３に記載の方法。
（項目５）
前記アップリンクＤＭ−ＲＳは、時間領域で複数のスロットを含むフレームで少なくとも２個のスロットで送信され、前記少なくとも２個のスロットから各スロット毎に一つのシーケンスグループが選択され、前記選択された一つのシーケンスグループ内から選択された一つの基本シーケンスを循環シフトさせて生成されることを特徴とする項目３に記載の方法。
（項目６）
前記各スロット毎に選択される一つのシーケンスグループは、前記仮想セルＩＤに対するパラメータに基づいて決定されることを特徴とする項目５に記載の方法。
（項目７）
前記各スロット毎に決定された一つのシーケンスグループ内から選択される基本シーケンスは、前記仮想セルＩＤに対するパラメータに基づいて決定されることを特徴とする項目６に記載の方法。
（項目８）
前記仮想セルＩＤに対するパラメータは、０〜５１３の整数値のうちいずれか一つを有する仮想セルＩＤを含み、前記仮想セルＩＤは、前記物理的セルＩＤを代えて前記アップリンクＤＭ−ＲＳを生成するために使われることを特徴とする項目１に記載の方法。
（項目９）
前記物理的セルＩＤは、前記ＤＭ−ＲＳを除いた残りのアップリンク信号生成に使われることを特徴とする項目１に記載の方法。
（項目１０）
前記仮想セルＩＤに対するパラメータは、ＲＲＣ（ｒａｄｉｏ  ｒｅｓｏｕｒｃｅ  ｃｏｎｔｒｏｌ）メッセージを介して送信されることを特徴とする項目１に記載の方法。
（項目１１）
前記ノードからアップリンクスケジューリング情報を受信するステップをさらに含み、前記仮想セルＩＤに対するパラメータは、前記アップリンクスケジューリング情報に含まれるパラメータに基づいて生成されることを特徴とする項目１に記載の方法。
（項目１２）
前記アップリンクスケジューリング情報は、前記端末がアップリンクデータチャネルを送信する周波数帯域を指示する情報を含み、前記周波数帯域は、前記端末と同時にアップリンクデータチャネル及びＤＭ−ＲＳを送信する他の端末の周波数帯域と重なる帯域を含むことを特徴とする項目１１に記載の方法。
（項目１３）
前記ＤＭ−ＲＳは、１４個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームで４番目及び１１番目のＳＣ−ＦＤＭＡシンボルで送信されることを特徴とする項目１に記載の方法。
（項目１４）
前記ＤＭ−ＲＳは、１２個のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むアップリンクサブフレームで３番目及び９番目のＳＣ−ＦＤＭＡシンボルで送信されることを特徴とする項目１に記載の方法。
（項目１５）
多重ノードシステムにおけるアップリンク復調基準信号を送信する端末において、
無線信号を送信及び受信するＲＦ（ｒａｄｉｏ  ｆｒｅｑｅｕｎｃｙ）部；及び、
前記ＲＦ部と連結されるプロセッサ；を含み、前記プロセッサは、
ノードから同期化信号を受信し、前記ノードから仮想セルＩＤ（ｉｄｅｎｔｉｆｉｅｒ）に対するパラメータを受信し、前記仮想セルＩＤに対するパラメータを利用してアップリンク復調基準信号（ｄｅｍｏｄｕｌａｔｉｏｎ  ｒｅｆｅｒｅｎｃｅ  ｓｉｇｎａｌ：ＤＭ−ＲＳ）を生成し、前記生成されたアップリンクＤＭ−ＲＳを前記ノードに送信し、
物理的セルＩＤは、前記同期化信号から受信されるセルＩＤであり、
前記仮想セルＩＤに対するパラメータは、前記物理的セルＩＤを代えて前記アップリンクＤＭ−ＲＳを生成するために使われるパラメータであることを特徴とする端末。
【図１】
0005726380.tif 000024
【図２】
0005726380.tif 000025
【図３】
0005726380.tif 000026
【図４】
0005726380.tif 000027
【図５】
0005726380.tif 000028
【図６】
0005726380.tif 000029
【図７】
0005726380.tif 000030
【図８】
0005726380.tif 000031
【図９】
0005726380.tif 000032
【図１０】
0005726380.tif 000033